(57)【要約】【課題】筐体の背面にスピーカが配置されている音声再生装置でも、机上に置いた状態で音声を聞き取りやすいような音声再生装置を提供すること。【解決手段】筐体１の背面側にスピーカが配置される音声再生装置において、筐体１背面のスピーカ用の音孔５ａの部分に放音用の凹部４ａを設ける。また、この凹部４ａによってユーザが音声再生装置を把持しやすくなる。【選択図】図２
2005236383.tif 000002
【特許請求の範囲】
【請求項１】
筐体の背面側にスピーカが配置された音声再生装置において、
上記筐体の背面には、上記スピーカが配置された部分を含み、上記スピーカが配置された部分から、上記筐体の背面上方の端面、上記筐体の背面右側方の端面、及び上記筐体の背面左側方の端面の少なくとも一つの端面に至るまでの部分に凹部が形成されていることを特徴とする音声再生装置。
【請求項２】
筐体の背面側にスピーカが配置された音声再生装置において、
上記筐体の背面には、上記筐体の背面と他物体の平面とを接するように配置したときに、上記スピーカから発せられる音を外部に逃がす導音部が設けられていることを特徴とする音声再生装置。
【請求項３】
表示部が配置された正面と、
上記正面の反対側の面であって、スピーカが配置された背面と、
上記背面に隣接する一対の側面と、
を備える筐体を有する音声再生装置において、
上記筐体の背面には、上記スピーカが配置された部分を含み、上記スピーカが配置された部分から上記一対の側面の少なくとも一方の側面に至るまでの部分に凹部が形成されていることを特徴とする音声再生装置。
【請求項４】
上記凹部は、上記正面から見て上記筐体の背面の略中心付近、又は上記略中心付近よりも上方向側に配置されることを特徴とする請求項３に記載の音声再生装置。
【請求項５】
表示部が配置された正面と、
上記正面の反対側の面であって、スピーカが配置された背面と、
上記背面に隣接する一対の側面と、
を備える筐体を有する音声再生装置において、
上記筐体の背面には、上記筐体の背面と他物体の平面とを接するように配置したときに、上記スピーカが配置された部分を含み上記筐体の背面の上記スピーカが配置された部分から上記筐体の側面の少なくとも一方の側面に至るまでの部分と、上記他物体の平面との間に放音のための十分な隙間を得られるように、上記スピーカが配置されている部分よりも突出した突出部が設けられていることを特徴とする音声再生装置。
【請求項６】
当該音声再生装置を正面から見たときに、上記正面に配置された上記表示部の位置と上記背面に配置された上記スピーカの位置とが少なくとも一部分で重複していることを特徴とする請求項３又は５に記載の音声再生装置。
【請求項７】
該音声再生装置の電源は、当該音声再生装置を正面から見たときに、上記筐体の下方向側に内蔵配置されることを特徴とする請求項４又は６に記載の音声再生装置。
【発明の詳細な説明】
【技術分野】
【０００１】
本発明は、音声再生機能を有する音声再生装置に関する。
【背景技術】
【０００２】
ＩＣレコーダ等の音声再生機能（ここでの「音声」は、単に人間の発する「音声」に限らず、音楽などの音も含むものである）を有する音声再生装置のスピーカは、図１１に示すように表示部２や操作部３と同様に筐体１の正面側に配置されることが多く、またこれに伴ってスピーカ用の音孔５ａも筐体１の正面側に配置されることが多い。しかし、近年では、装置の小型化（特に薄型化）のために、筐体の背面側にスピーカを配置するものが提案されてきている。例えば、特許文献１において提案されている携帯無線装置では、呼出音発生用のスピーカを筐体の背面側に配置するようにしている。また、特許文献１では、筐体背面に凹部を設けておき、その凹部にスピーカ用の音孔を形成するようにすることで、待ち受け時にもユーザの指によって音孔が塞がれることがなく、呼出音を効果的に放出することができるようにもなっている。
【特許文献１】特開２０００−３６８８５３号公報
【発明の開示】
【発明が解決しようとする課題】
【０００３】
携帯電話機などの携帯無線装置では、ユーザが把持して使用することが前提となっているので、特許文献１のような構造でも良い。しかしながら、ＩＣレコーダ等では、例えば机上に置いた状態で音声を聞くことも多く、この場合に、筐体背面側にスピーカが配置されていると、筐体の背面側に配置されたスピーカから再生される音声が、机平面上で遮音されてしまい、音声が聞こえにくくなってしまう。
【０００４】
本発明は、上記の事情に鑑みてなされたもので、筐体の背面にスピーカが配置されている音声再生装置でも、机上に置いた状態で音声を聞き取りやすいような音声再生装置を提供することを目的とする。
【課題を解決するための手段】
【０００５】
上記の目的を達成するために、本発明の第１の態様に音声再生装置は、筐体の背面側にスピーカが配置された音声再生装置において、上記筐体の背面には、上記スピーカが配置された部分を含み、上記スピーカが配置された部分から、上記筐体の背面上方の端面、上記筐体の背面右側方の端面、及び上記筐体の背面左側方の端面の少なくとも一つの端面に至るまでの部分に凹部が形成されていることを特徴とする。
【０００６】
また、上記の目的を達成するために、本発明の第２の態様に音声再生装置は、筐体の背面側にスピーカが配置された音声再生装置において、上記筐体の背面には、上記筐体の背面と他物体の平面とを接するように配置したときに、上記スピーカから発せられる音を外部に逃がす導音部が設けられていることを特徴とする。
【０００７】
また、上記の目的を達成するために、本発明の第３の態様に音声再生装置は、表示部が配置された正面と、上記正面の反対側の面であって、スピーカが配置された背面と、上記背面に隣接する一対の側面と、を備える筐体を有する音声再生装置において、上記筐体の背面には、上記スピーカが配置された部分を含み、上記スピーカが配置された部分から上記一対の側面の少なくとも一方の側面に至るまでの部分に凹部が形成されていることを特徴とする。
【０００８】
また、上記の目的を達成するために、本発明の第４の態様に音声再生装置は、表示部が配置された正面と、上記正面の反対側の面であって、スピーカが配置された背面と、上記背面に隣接する一対の側面とを備える筐体を有する音声再生装置において、上記筐体の背面には、上記筐体の背面と他物体の平面とを接するように配置したときに、上記スピーカが配置された部分を含み上記筐体の背面の上記スピーカが配置された部分から上記筐体の側面の少なくとも一方の側面に至るまでの部分と、上記他物体の平面との間に放音のための十分な隙間を得られるように、上記スピーカが配置されている部分よりも突出した突出部が設けられていることを特徴とする。
【０００９】
これら第１〜第４の態様によれば、筐体背面に音声を逃がすための部位を設けているので、筐体の背面に配置したスピーカから再生される音声が机平面等で遮音されることがない。
【発明の効果】
【００１０】
本発明によれば、スピーカ筐体の背面にスピーカが配置されている音声再生装置でも、机上に置いた状態で音声を聞き取りやすいような音声再生装置を提供することができる。
【発明を実施するための最良の形態】
【００１１】
以下、図面を参照して本発明の実施形態を説明する。  
［第１の実施形態］
本発明の第１の実施形態について説明する。図１は、本発明の第１の実施形態に係る音声再生装置の一例としてのＩＣレコーダの外観正面図である。即ち、本ＩＣレコーダの筐体１の正面側には、本ＩＣレコーダの動作状態や動作設定、記録データ内容などの各種情報表示を行うための表示部２、及び音声の再生、停止、早送り、早戻しといった操作や、音声の記録操作、表示部２に表示されるメニュー画面上での選択、決定操作等のＩＣレコーダにおける各種操作を行うための操作部３が露出配置されている。なお、表示部２や操作部３は、従来のＩＣレコーダで用いられる周知の構成を用いればよいので、ここでは詳細な説明については省略する。
【００１２】
図２は、本ＩＣレコーダの背面斜視図である。本ＩＣレコーダの背面側には、ＩＣレコーダを把持する際に、筐体を把持する指を安定させるための凹部４ａが設けられ、更に、凹部４ａの部分にスピーカ用の音孔５ａが形成されている。ここで、凹部４ａは、図２に示すように、筐体１背面の両側面に至る部分までの全域に亘って形成されている。また、凹部４ａ及びスピーカ用の音孔５ａは、筐体１背面の電池蓋６ａの位置を避けるように筐体１背面の上方側に配置する。
【００１３】
このように凹部４ａとスピーカ用の音孔５ａとを配置したことにより、図３のようにしてＩＣレコーダを容易に把持することができる。また、ＩＣレコーダが把持される際には、図３に示すように、ユーザの指が凹部４ａの稜線部で固定されるようにして把持されるので、スピーカ用の音孔５ａがユーザの指によって塞がれてしまうことがない。
【００１４】
また、上記したように、凹部４ａ及びスピーカ用の音孔５ａは、筐体１背面の電池蓋６ａの位置を避けるように筐体１背面の上方側に配置している。この理由を、図４を参照して説明する。図４は、本ＩＣレコーダの右側面断面図を示す。図４に示すように、本ＩＣレコーダの筐体１内部には、表示部２の駆動回路や、操作部３の操作に応じて音声再生動作や音声記録動作等の各動作の制御を行う制御回路等の電気回路が実装された回路基板７が設けられている。そして、この回路基板７に表示部２、操作部３、及びスピーカ５が電気機に接続されている。更に、この回路基板７には電池６が接続され、この電池６によって電源供給を受けることが可能なようになっている。
【００１５】
ここで、図４にも示すように、電池６は他の部材に比べて大型である。したがって、従来のようにスピーカ５を筐体１の正面側に配置すると、電池６の厚みとスピーカ５の厚みのためにＩＣレコーダを小型化することが困難になる。そこで、ＩＣレコーダの小型化（特に薄型化）のためには、電池６の位置を避けるようにして他の部材を配置することが好ましい。したがって、第１の実施形態では、スピーカ５を、筐体１の上方側に内蔵配置するようにしている。また、第１の実施形態では、図４に示すように表示部２の裏側にスピーカ５を配置するようにして、電池６の厚み分の隙間を有効に利用している。このようにして各部材を配置することにより、ＩＣレコーダの厚さを薄くすることができる。
【００１６】
ここで、単に筐体１の背面側にスピーカ５を配置しただけでは、ＩＣレコーダを机等の他物体の平面上に置いた場合に、音孔５ａが机等の平面によって塞がれてしまい、スピーカから発せられる音声がこもってしまったり、音量が極端に小さくなったりしてしまう。
【００１７】
しかしながら、第１の実施形態では、筐体１の側面に開口が空くように凹部４ａを形成しているので、凹部４ａが導音部となり、回折及び机等の他物体の平面で反射した音声が、図５の参照符号１０１及び１０２に示すようにして筐体１の側面から回って放出される。
【００１８】
このように、第１の実施形態によれば、ＩＣレコーダを机等の他物体の平面に置いて使用する場合でも、スピーカから発せられる音声が机平面等で遮音されることがない。また、第１の実施形態において、筐体１の側面からでてくる音声は所謂リヴァーブ（反響）音となる。このため、第１の実施形態は、筐体１の側面からでてくる音声により、ユーザにある程度の心地よさと安堵感を与えることができるという効果も有する。
【００１９】
なお、図２の例では、筐体１背面の両側方の端面に至る部分までの全域に亘って凹部４ａを形成しているが、実際には筐体１の少なくとも何れか一方の側面に導音部となる開口が空くように凹部を形成すればよい。
【００２０】
［第２の実施形態］
次に、本発明の第２の実施形態について説明する。図６は、本発明の第２の実施形態に係る音声再生装置の一例としてのＩＣレコーダの右側面図である。なお、筐体１内部の構成等は第１の実施形態と同様であるので説明を省略する。即ち、第２の実施形態は筐体１の背面をひとつづきの曲面として構成する例である。なお、第２の実施形態の効果は、第１の実施形態と同様である。このように、ＩＣレコーダの筐体背面は必ずしも平面とする必要はない。
【００２１】
［第３の実施形態］
次に、本発明の第３の実施形態について説明する。図７（ａ）は、本発明の第３の実施形態に係る音声再生装置の一例としてのＩＣレコーダの背面斜視図である。即ち、第３の実施形態は、筐体１の背面に設ける導音部を、筐体１の両側面だけでなく、筐体１の上面（図の右側の面）にも設ける例である。即ち、図７（ａ）に示す第３の実施形態は、図２に示す第１の実施形態の凹部４ａの上側の凸部を削除することで導音部４ｃを形成したものである。なお、筐体１内部の構成等は第１の実施形態と同様である。
【００２２】
このようなＩＣレコーダを机等に置いた場合には、図７（ｂ）に示す状態で筐体１が安定する。即ち、電池の重みのために重心が筐体１の下側になるので、図７（ａ）のような構成でも筐体１が傾いてしまうようなことがない。また、図７（ｂ）に示す状態では、スピーカ５から発せられた音声が机等で反射した後、参照符号３０１で示すようにして筐体１の上側からも放出されるようになるので、第１の実施形態に比べて更に効率よく音声を放出させることができる。
【００２３】
なお、第３の実施形態においても第２の実施形態と同様に、筐体１背面を曲面で構成しても良いことは言うまでもない。
【００２４】
［第４の実施形態］
次に、本発明の第４の実施形態について説明する。図８（ａ）は、本発明の第４の実施形態に係る音声再生装置の一例としてのＩＣレコーダの背面斜視図である。即ち、第４の実施形態は筐体１の背面全体を平面として構成する例である。つまり、筐体１背面のスピーカ用の音孔５ａが配置される部分のみを凹ませて、この凹み部分の両脇に導音部としての孔を設けるようにしている。即ち、この導音孔は、放音のための隙間を空けることが可能なようにスピーカ用の音孔５ａよりも突出するような突出部に設けられている。なお、筐体１内部の構成等は第１の実施形態と同様である。
【００２５】
このようなＩＣレコーダにおいては、手に把持して使用する場合には、図８（ｂ）の参照符号４０１〜４０３で示すようにして音声が放出される。一方、図８（ａ）の構成のＩＣレコーダを机等の他物体の平面に置いた場合には、参照符号４０１方向の音声が、机等の平面で反射した後、導音部４ｅ及び４ｆを介して参照符号４０２及び４０２のようにして放音される。したがって、この第４の実施形態のような構成でも、スピーカから発せられる音声がこもってしまったり、音量が極端に小さくなったりしてしまうことがない。
【００２６】
［第５の実施形態］
次に、本発明の第５の実施形態について説明する。図９（ａ）は、本発明の第５の実施形態に係る音声再生装置の一例としてのＩＣレコーダの背面斜視図である。この第５の実施形態は、第３の実施形態の変形例である。即ち、第５の実施形態においては、導音部の形状を筐体１の上方側に向けて傾斜するような形状としている。なお、筐体１内部の構成等は第１の実施形態と同様である。
【００２７】
このように筐体１の上方側に向けて傾斜する導音部４ｇを有するＩＣレコーダにおいては、図９（ｂ）に示すように筐体１の側面側の開口面積よりも筐体１の上面側の開口面積のほうが大きくなるので、筐体１の側面側よりも参照符号５０１で示す筐体１の上方側の放音の効果がより高くなる。
【００２８】
［第６の実施形態］
次に、本発明の第６の実施形態について説明する。図１０は、本発明の第６の実施形態に係る音声再生装置の一例としてのＩＣレコーダの背面斜視図である。この第６の実施形態は、電池６が横置きの筐体１の例である。この図６の例では、ユーザがＩＣレコーダの筐体１を把持したときに、右手人差し指によってスピーカ用の音孔５ａが塞がれないように、スピーカ用の音孔５ａを図中右よりに配置するようにしている。なお、導音部の構成については、第１〜第５の実施形態で説明した構成と同様のものが適用できる。
【００２９】
以上実施形態に基づいて本発明を説明したが、本発明は上記した実施形態に限定されるものではなく、本発明の要旨の範囲内で種々の変形や応用が可能なことは勿論である。
【００３０】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００３１】
【図１】本発明の第１の実施形態に係る音声再生装置の一例としてのＩＣレコーダの外観正面図である。
【図２】第１の実施形態のＩＣレコーダの背面斜視図である。
【図３】ユーザがＩＣレコーダを把持したときの図である。
【図４】ＩＣレコーダの右側面断面図を示す。
【図５】ＩＣレコーダの側面から放音される様子を示した図である。
【図６】本発明の第２の実施形態に係る音声再生装置の一例としてのＩＣレコーダの右側面図である。
【図７】図７（ａ）は本発明の第３の実施形態に係る音声再生装置の一例としてのＩＣレコーダの背面斜視図であり、図７（ｂ）は図７（ａ）の構成のＩＣレコーダにおける放音の様子を示した図である。
【図８】図８（ａ）は本発明の第４の実施形態に係る音声再生装置の一例としてのＩＣレコーダの背面斜視図であり、図８（ｂ）は図８（ａ）の構成のＩＣレコーダにおける放音の様子を示した図である。
【図９】図９（ａ）は本発明の第５の実施形態に係る音声再生装置の一例としてのＩＣレコーダの背面斜視図であり、図９（ｂ）は図９（ａ）の構成のＩＣレコーダにおける放音の様子を示した図である。
【図１０】本発明の第６の実施形態に係る音声再生装置の一例としてのＩＣレコーダの背面斜視図である。
【図１１】従来の音声再生装置の構成について示した外観斜視図である。
【符号の説明】
【００３２】
１…筐体、２…表示部、３…操作部、４ａ…凹部、４ｃ…導音部、４ｅ…導音部、４ｇ…導音部、５ａ…音孔、５…スピーカ、６ａ…電池蓋、６…電池、７…回路基板
【図１】
2005236383.tif 000003
【図２】
2005236383.tif 000004
【図３】
2005236383.tif 000005
【図４】
2005236383.tif 000006
【図５】
2005236383.tif 000007
【図６】
2005236383.tif 000008
【図７】
2005236383.tif 000009
【図８】
2005236383.tif 000010
【図９】
2005236383.tif 000011
【図１０】
2005236383.tif 000012
【図１１】
2005236383.tif 000013